(57)【要約】      （修正有）【課題】餌を新鮮に保つことができ、効果的に給餌する餌の量を制御でき、さらに自動で給餌する機能によって給餌する環境を常に清潔に保つペット用給餌装置を提供する。【解決手段】１つの面に給餌孔１１を設ける筐体１と、筐体１内に設けられ、複数の容器２１を設けるとともに少なくとも１つの容器２１が給餌孔１１と対応している餌入れユニット２と、筐体１内に設けられるとともに、対応する給餌孔１１以外のその他の容器２１を覆う冷蔵ユニット３と、筐体１内に設けられるとともに、給餌孔１１の容器２１と冷蔵ユニット３に対応して接続される温度制御ユニット４と、餌入れユニット２と温度制御ユニット４に接続されるドライブユニット５と、からなる。冷蔵ユニットと温度制御ユニットを組み合わせることで一部の容器に保存された餌を冷蔵するとともに、ドライブユニットによりそのうちの１つの容器を動かして給餌孔に対応させ、同時に容器内の給餌したい餌を温めてペットが食べられるようにする。【選択図】図２
0003213877.tif 000002
【実用新案登録請求の範囲】
【請求項１】
ペット用給餌装置であって、前記ペット用給餌装置は、
１つの面に給餌孔を設ける筐体と、
筐体内に設けられ、複数の容器を設けるとともに少なくとも１つの容器が給餌孔と対応している餌入れユニットと、
筐体内に設けられるとともに、対応する給餌孔以外のその他の容器を覆う冷蔵ユニットと、
筐体内に設けられるとともに、給餌孔の容器と冷蔵ユニットに対応して連結される温度制御ユニットと、
餌入れユニットと温度制御ユニットに連結され、各容器を動かすのに用いられるドライブユニットと、からなることを特徴とする、ペット用給餌装置。
【請求項２】
前記餌入れユニットの各容器は、金属材質であることを特徴とする、請求項１に記載のペット用給餌装置。
【請求項３】
前記冷蔵ユニットは、保冷スポンジであることを特徴とする、請求項１に記載のペット用給餌装置。
【請求項４】
前記温度制御ユニットは、冷却片と放熱ファンを備えることを特徴とする、請求項１に記載のペット用給餌装置。
【請求項５】
前記冷却片は、冷却端と伝熱端を備え、前記冷却端は冷蔵ユニットに連結され、前記伝熱端は給餌孔に対応する容器と接触することを特徴とする、請求項４に記載のペット用給餌装置。
【請求項６】
前記ドライブユニットは、モーターであることを特徴とする、請求項１に記載のペット用給餌装置。
【請求項７】
前記温度制御ユニットは、さらにウェブカメラに接続され、前記ウェブカメラは筐体の外側端面に設けられることを特徴とする、請求項１に記載のペット用給餌装置。
【請求項８】
前記ウェブカメラは通信ユニット及び保存ユニットと接続されることを特徴とする、請求項７に記載のペット用給餌装置。
【請求項９】
前記筐体は、円形または多角形であることを特徴とする、請求項１に記載のペット用給餌装置。
【請求項１０】
前記餌入れユニットの各容器は、円形または多角形であることを特徴とする、請求項１に記載のペット用給餌装置。
【考案の詳細な説明】
【技術分野】
【０００１】
本考案は、ペット用給餌装置の設計に関し、特に、冷蔵と温めの機能を備えることで、使用者がペットに自動で給餌できる設計に関する。
【背景技術】
【０００２】
現在、家の中でペットを飼育する飼い主の多くが、出勤中または仕事の都合で決まった時間にペットに給餌することができないため、外出前にペット用食器に一度に複数回分の餌を入れ、ペットが自分で食べるようにしている。
【０００３】
しかしながら、飼育しているペットがペット用食器の中の餌を一回でまたは複数回に分けて食べきることができなかった場合、ペット用食器に残った餌はハエやゴキブリを引き寄せるため汚くなるだけでなく、長時間外に置いておかれることによって腐敗したり劣化したりしやすいため、ペットが再びその餌を食べると健康を害してしまう。また、一部のペットが、食欲旺盛のため餌の量を制御することができず一度に餌をすべて食べきってしまうと、同様にペットの健康を害してしまう。よって、従来のペットへの給餌方法は飼い主が実際に使用する際の必要に確実に適合していない。
【考案の概要】
【考案が解決しようとする課題】
【０００４】
本考案は、冷蔵ユニットと温度制御ユニットを組み合わせることによって、一部の容器に保存された餌を冷蔵するとともに、ドライブユニットによってそのうちの１つの容器を動かして給餌孔に対応させ、同時に容器内の給餌したい餌を温めてペットが食べられるようにすることで、餌を新鮮に保つことができるだけでなく、効果的に給餌する餌の量を制御することができ、さらに自動で給餌する機能によって給餌する環境を常に清潔に保つ効果を達成するペット用給餌装置を提供することを目的とする。
【課題を解決するための手段】
【０００５】
上述の目的を達成するため、本考案のペット用給餌装置は、１つの面に給餌孔を設ける筐体と、筐体内に設けられ、複数の容器を設けるとともに少なくとも１つの容器が給餌孔と対応している餌入れユニットと、筐体内に設けられるとともに、対応する給餌孔以外のその他の容器を覆う冷蔵ユニットと、筐体内に設けられるとともに、給餌孔の容器と冷蔵ユニットに対応して接続される温度制御ユニットと、餌入れユニットと温度制御ユニットに接続され、各容器を動かすのに用いられるドライブユニットと、からなる。
【０００６】
本考案の実施例において、前記餌入れユニットの各容器は、金属材質である。
【０００７】
本考案の実施例において、前記冷蔵ユニットは、保冷スポンジである。
【０００８】
本考案の実施例において、前記温度制御ユニットは、冷却片と放熱ファンを備える。  
【０００９】
本考案の実施例において、前記冷却片は冷却端と伝熱端を備え、前記冷却端は冷蔵ユニットに接続され、前記伝熱端は給餌孔に対応する容器と接触する。
【００１０】
本考案の実施例において、前記ドライブユニットは、モーターである。
【００１１】
本考案の実施例において、前記温度制御ユニットは、さらにウェブカメラに接続され、前記ウェブカメラは筐体の外側端面に設けられる。
【００１２】
本考案の実施例において、前記ウェブカメラは通信ユニット及び保存ユニットと接続することができる。
【００１３】
本考案の実施例において、前記筐体は、円形または多角形である。
【００１４】
本考案の実施例において、前記餌入れユニットの各容器は、円形または多角形である。
【図面の簡単な説明】
【００１５】
【図１】本考案の実施例１における俯瞰状態を示した図である。
【図２】本考案の実施例１における断面状態を示した図である。
【図３】本考案の実施例２における外観斜視図である。
【図４】本考案の実施例２における餌入れユニットを示した図である。
【考案を実施するための形態】
【００１６】
「図１と図２」を参照する。図１と図２は、それぞれ本考案の実施例１における俯瞰状態を示した図と、本考案の実施例１における断面状態を示した図である。図に示す通り、本考案のペット用給餌装置は少なくとも、筐体１と、餌入れユニット２と、冷蔵ユニット３と、温度制御ユニット４と、ドライブユニット５と、からなる。
【００１７】
上述の前記筐体１の一面には、給餌孔１１が設けられ、本実施例において前記筐体１は円形である。
【００１８】
前記餌入れユニット２は、筐体１内に設けられ、前記餌入れユニット２は複数の容器２１を備えるとともに、少なくとも１つの容器２１は給餌孔１１と対応する。そのうち、前記餌入れユニット２の各容器２１は金属材質であり、本実施例において各容器２１は円形である。
【００１９】
前記冷蔵ユニット３は筐体１内に設けられるとともに、対応する給餌孔１１以外のその他の容器２１を覆う。そのうち、前記冷蔵ユニット３は保冷スポンジである。
【００２０】
前記温度制御ユニット４は、筐体１内に設けられるとともに、給餌孔１１の容器２１と冷蔵ユニット３に対応して接続される。そのうち、前記温度制御ユニット４は、冷却片４１と放熱ファン４２を備え、前記冷却片４１は冷却端４１１と伝熱端４１２を備える。前記冷却端４１１は冷蔵ユニット３に接続され、前記伝熱端４１２は給餌孔１１に対応する容器２１と接触する。
【００２１】
前記ドライブユニット５は餌入れユニット２と温度制御ユニット４に接続され、各容器２１を動かすのに用いられる。そのうち、前記ドライブユニット５はモーターである。このように、新しいペット用給餌装置は、上述の技術特性によって構成される。
【００２２】
本考案を使用する場合、まず筐体１を開けて、餌入れユニット２の各容器２１の中にそれぞれ所定の量の餌を装填した後、再び筐体１を閉じる。この時温度制御ユニット４は、すでにソフトウェアによって設定されて必要な外部電力に接続され、さらに冷却片４１、放熱ファン４２、及びドライブユニット５の作動時間や、冷蔵温度と加熱温度を制御するとともに、温度制御ユニット４から作動データを取得することで温度と電力等の作動を精密かつ正確に制御することができる。
【００２３】
本考案を利用する場合、冷却片４１の冷却端４１１によって冷蔵ユニット３を必要な温度にして前記冷蔵ユニット３が低温で餌を保存できるようにし、保存されている餌が水分と新鮮さを保てるようにする。設定された給餌する時間になると、ドライブユニット５が各容器２１を回転させ、そのうちの１つの容器２１が給餌孔１１にまで移動するようにするとともに、前記容器２１を伝熱端４１２に接触させて、前記伝熱端４１２によって前記容器２１を加熱する。これにより前記容器２１内の餌を温めてペットが給餌孔１１から食べられるようにする。
【００２４】
また、本考案の温度制御ユニット４はさらに、ウェブカメラ６に接続することができ、前記ウェブカメラ６は筐体１の外側端面に設けられるとともに、前記ウェブカメラ６は通信ユニット及び保存ユニットと接続することができる（未図示）。このようにスマートフォン、コンピュータ、または関連するインターネット装置によって通信ユニットと連結することができるとともに、スマートフォン、コンピュータ、または関連するインターネット装置によって給餌する現場の映像と音を監視・制御する。同時に、保存ユニットによって保存することで監視・制御と録画の機能が達成される。さらに、スマートフォンのアプリケーションに連結することで、設定と自動制御の機能を達成することもできる。また、移動トリガ機能によって、外力が加えられると直ちにすべての作動が停止され、さらにペット用給餌装置の使用状況が制御される。さらに、通信ユニットのインターネット機能によって、異常が発生した場合には飼い主または使用者にすぐに通知され、飼い主または使用者は、接続されたスマートフォン、コンピュータまたは関連するインターネット装置によって故障を解決することができる。
【００２５】
「図３と図４」を参照する。図３と図４は、それぞれ本考案の実施例２における外観斜視図と、本考案の実施例２における餌入れユニットを示した図である。図に示す通り、本考案は、上述の実施例１において開示した構造形態以外にも、本実施例２の構造形態であることもできるが、その違いは、前記筐体１ａが多角形であり、前記餌入れユニット２ａの各容器２１ａが多角形である点にある。このように、本考案が異なる構造形態を備えることによって、各使用者の様々な必要に合わせることができる。
【符号の説明】
【００２６】
１、１ａ      筐体
１１          給餌孔
２、２ａ      餌入れユニット
２１、２１ａ  容器
３            冷蔵ユニット
４            温度制御ユニット
４１          冷却片
４１１        冷却端
４１２        伝熱端
４２          放熱ファン
５            ドライブユニット
６            ウェブカメラ
【図１】
0003213877.tif 000003
【図２】
0003213877.tif 000004
【図３】
0003213877.tif 000005
【図４】
0003213877.tif 000006